(57)【要約】【課題】  スマートメータでカウントされる時刻を基準として特定される時刻と管理装置でカウントされる時刻を基準として特定される時刻との同期が取れていない環境下において、ユーザの違和感を軽減することを可能とする管理装置及び管理方法を提供する。【解決手段】  ＥＭＳ２００（制御部２４０）は、集計時刻と受信時刻との差異が所定閾値以上である場合に、受信時刻（すなわち、ＥＭＳ２００でカウントされる時刻を基準として特定される時刻）に従って積算値を管理する。【選択図】  図３
2016082605.tif 000002
【特許請求の範囲】
【請求項１】
電力系統から需要家施設に供給される電力を示す電力情報を管理する管理装置であって、
前記電力系統から前記需要家施設に供給される電力を測定するスマートメータから、前記電力系統から前記需要家施設に供給された電力を一定期間毎に集計した値である積算値を、前記積算値が集計された時刻を示す集計時刻とともに受信する受信部と、
前記スマートメータから受信する前記積算値を管理する管理部とを備え、
前記管理部は、前記集計時刻と前記積算値を受信した時刻を示す受信時刻との差異が所定閾値以上である場合に、前記受信時刻に従って前記積算値を管理し、
前記集計時刻は、前記スマートメータでカウントされる時刻を基準として特定される時刻であり、
前記受信時刻は、前記管理装置でカウントされる時刻を基準として特定される時刻であることを特徴とする管理装置。
【請求項２】
前記管理部は、前記受信時刻と前記集計時刻との差異が所定閾値未満である場合に、前記集計時刻に従って前記積算値を管理することを特徴とする請求項１に記載の管理装置。
【請求項３】
前記積算値の送信要求を前記スマートメータに送信する送信部を備え、
前記受信部は、前記一定期間の経過によって前記積算値が更新された旨を示す状態遷移通知を前記スマートメータから受信し、
前記送信部は、前記状態遷移通知に応じて、前記送信要求を前記スマートメータに送信し、
前記管理部は、前記送信要求に応じて返信された前記積算値を管理することを特徴とする請求項１に記載の管理装置。
【請求項４】
前記積算値の送信要求を前記一定期間よりも短い間隔で周期的に前記スマートメータに送信する送信部を備え、
前記管理部は、前記送信要求に応じて前記積算値とともに返信される前記集計時刻が更新された場合に、新たな集計時刻とともに受信する前記積算値を管理することを特徴とする請求項１に記載の管理装置。
【請求項５】
前記管理部によって管理される前記積算値に関する情報をディスプレイに出力する出力部を備えることを特徴とする請求項１に記載の管理装置。
【請求項６】
電力系統から需要家施設に供給される電力を示す電力情報を管理する管理方法であって、
前記電力系統から前記需要家施設に供給される電力を測定するスマートメータから、前記電力系統から前記需要家施設に供給された電力を一定期間毎に集計した値である積算値を、前記積算値が集計された時刻を示す集計時刻とともに受信するステップＡと、
前記スマートメータから受信する前記積算値を管理するステップＢとを備え、
前記ステップＢは、前記集計時刻と前記積算値を受信した時刻を示す受信時刻との差異が所定閾値以上である場合に、前記受信時刻に従って前記積算値を管理するステップを含み、
前記集計時刻は、前記スマートメータでカウントされる時刻を基準として特定される時刻であり、
前記受信時刻は、前記管理装置でカウントされる時刻を基準として特定される時刻であることを特徴とする管理方法。
【発明の詳細な説明】
【技術分野】
【０００１】
本発明は、電力系統から需要家施設に供給される電力を示す電力情報を管理する管理装置及び管理方法に関する。
【背景技術】
【０００２】
近年、需要家施設に設けられる機器の電力を管理する電力管理システム（ＥＭＳ：Ｅｎｅｒｇｙ  Ｍａｎａｇｅｍｅｎｔ  Ｓｙｓｔｅｍ）が注目を浴びている（例えば、特許文献１）。このような電力管理システムでは、機器の電力を管理する管理装置が設けられる。
【０００３】
管理装置としては、住宅に設けられるＨＥＭＳ（ＨＯＭＥ  Ｅｎｅｒｇｙ  Ｍａｎａｇｅｍｅｎｔ  Ｓｙｓｔｅｍ）、ビルに設けられるＢＥＭＳ（Ｂｕｉｌｄｉｎｇ  Ｅｎｅｒｇｙ  Ｍａｎａｇｅｍｅｎｔ  Ｓｙｓｔｅｍ）、工場に設けられるＦＥＭＳ（Ｆａｃｔｏｒｙ  Ｅｎｅｒｇｙ  Ｍａｎａｇｅｍｅｎｔ  Ｓｙｓｔｅｍ）、店舗にＳＥＭＳ（Ｓｔｏｒｅ  Ｅｎｅｒｇｙ  Ｍａｎａｇｅｍｅｎｔ  Ｓｙｓｔｅｍ）等が挙げられる。
【０００４】
このようなケースにおいて、電力系統から需要家施設に供給される電力を測定するメータとして、通信機能を有するスマートメータの導入が検討されている。スマートメータは、電力系統から需要家施設に供給された電力を一定期間毎に集計した値である積算値を、積算値が集計された時刻を示す集計時刻とともに管理装置に送信する機能を有する。
【先行技術文献】
【特許文献】
【０００５】
【特許文献１】特開２０１０−１２８８１０号公報
【発明の概要】
【発明が解決しようとする課題】
【０００６】
上述したスマートメータは、電力会社等が提供する機器であり、スマートメータによって計測される電力は、ユーザに対する課金等に用いられる情報である。このような背景下において、電力会社等が提供する装置ではない管理装置がスマートメータの設定を変更することは禁止される。従って、スマートメータでカウントされる時刻と管理装置でカウントされる時刻との同期を取ることができない。
【０００７】
ところで、管理装置は、管理装置でカウントされる時刻に基づいて各種情報を提供しているため、ユーザは、管理装置でカウントされる時刻を基準にして各種情報を把握している。従って、スマートメータでカウントされる時刻と管理装置でカウントされる時刻との間にズレがあるケースにおいて、スマートメータでカウントされる時刻を基準として積算値を管理装置がユーザに提供してしまうと、ユーザが違和感を持つ懸念がある。
【０００８】
そこで、本発明は、上述した課題を解決するためになされたものであり、スマートメータでカウントされる時刻を基準として特定される時刻と管理装置でカウントされる時刻を基準として特定される時刻との同期が取れていない環境下において、ユーザの違和感を軽減することを可能とする管理装置及び管理方法を提供することを目的とする。
【課題を解決するための手段】
【０００９】
第１の特徴は、電力系統から需要家施設に供給される電力を示す電力情報を管理する管理装置であって、前記電力系統から前記需要家施設に供給される電力を測定するスマートメータから、前記電力系統から前記需要家施設に供給された電力を一定期間毎に集計した値である積算値を、前記積算値が集計された時刻を示す集計時刻とともに受信する受信部と、前記スマートメータから受信する前記積算値を管理する管理部とを備え、前記管理部は、前記集計時刻と前記積算値を受信した時刻を示す受信時刻との差異が所定閾値以上である場合に、前記受信時刻に従って前記積算値を管理し、前記集計時刻は、前記スマートメータでカウントされる時刻を基準として特定される時刻であり、前記受信時刻は、前記管理装置でカウントされる時刻を基準として特定される時刻であることを要旨とする。
【００１０】
第２の特徴は、第１の特徴において、前記管理部は、前記受信時刻と前記集計時刻との差異が所定閾値未満である場合に、前記集計時刻に従って前記積算値を管理することを要旨とする。
【００１１】
第３の特徴は、第１の特徴において、前記管理装置は、前記積算値の送信要求を前記スマートメータに送信する送信部を備え、前記受信部は、前記一定期間の経過によって前記積算値が更新された旨を示す状態遷移通知を前記スマートメータから受信し、前記送信部は、前記状態遷移通知に応じて、前記送信要求を前記スマートメータに送信し、前記管理部は、前記送信要求に応じて返信された前記積算値を管理することを要旨とする。
【００１２】
第４の特徴は、第１の特徴において、前記管理装置は、前記積算値の送信要求を前記一定期間よりも短い間隔で周期的に前記スマートメータに送信する送信部を備え、前記管理部は、前記送信要求に応じて前記積算値とともに返信される前記集計時刻が更新された場合に、新たな集計時刻とともに受信する前記積算値を管理することを要旨とする。
【００１３】
第５の特徴は、第１の特徴において、前記管理装置は、前記管理部によって管理される前記積算値に関する情報をディスプレイに出力する出力部を備えることを要旨とする。
【００１４】
第６の特徴は、電力系統から需要家施設に供給される電力を示す電力情報を管理する管理方法であって、前記電力系統から前記需要家施設に供給される電力を測定するスマートメータから、前記電力系統から前記需要家施設に供給された電力を一定期間毎に集計した値である積算値を、前記積算値が集計された時刻を示す集計時刻とともに受信するステップＡと、前記スマートメータから受信する前記積算値を管理するステップＢとを備え、前記ステップＢは、前記集計時刻と前記積算値を受信した時刻を示す受信時刻との差異が所定閾値以上である場合に、前記受信時刻に従って前記積算値を管理するステップを含み、前記集計時刻は、前記スマートメータでカウントされる時刻を基準として特定される時刻であり、前記受信時刻は、前記管理装置でカウントされる時刻を基準として特定される時刻であることを要旨とする。
【発明の効果】
【００１５】
本発明によれば、スマートメータでカウントされる時刻を基準として特定される時刻と管理装置でカウントされる時刻を基準として特定される時刻との同期が取れていない環境下において、ユーザの違和感を軽減することを可能とする管理装置及び管理方法を提供することができる。
【図面の簡単な説明】
【００１６】
【図１】図１は、第１実施形態に係る需要家施設１０を示す図である。
【図２】図２は、第１実施形態に係るスマートメータ３００を示す図である。
【図３】図３は、第１実施形態に係るＥＭＳ２００を示す図である。
【図４】図４は、第１実施形態に係るＥＭＳ２００で管理される情報を示す図である。
【図５】図５は、第１実施形態に係る管理方法を示す図である。
【図６】図６は、第１実施形態に係る管理方法を示す図である。
【図７】図７は、変更例１に係る管理方法を示す図である。
【発明を実施するための形態】
【００１７】
以下において、本発明の実施形態に係る管理装置について、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る管理装置は、電力系統から需要家施設に供給される電力を示す電力情報を管理する。管理装置は、前記電力系統から前記需要家施設に供給される電力を測定するスマートメータから、前記電力系統から前記需要家施設に供給された電力を一定期間毎に集計した値である積算値を、前記積算値が集計された時刻を示す集計時刻とともに受信する受信部と、前記スマートメータから受信する前記積算値を管理する管理部とを備える。前記管理部は、前記集計時刻と前記積算値を受信した時刻を示す受信時刻との差異が所定閾値以上である場合に、前記受信時刻に従って前記積算値を管理する。前記集計時刻は、前記スマートメータでカウントされる時刻を基準として特定される時刻である。前記受信時刻は、前記管理装置でカウントされる時刻を基準として特定される時刻である。
【００２０】
実施形態では、管理部は、集計時刻と受信時刻との差異が所定閾値以上である場合に、受信時刻（すなわち、管理装置でカウントされる時刻を基準として特定される時刻）に従って積算値を管理する。従って、スマートメータでカウントされる時刻を基準として特定される時刻と管理装置でカウントされる時刻を基準として特定される時刻との同期が取れていない環境下において、ユーザの違和感を軽減することができる。
【００２１】
［第１実施形態］
（需要家施設）
以下において、第１実施形態に係る需要家施設について説明する。図１は、第１実施形態に係る需要家施設１０の詳細を示す図である。
【００２２】
図１に示すように、需要家施設１０は、分電盤１１０と、負荷１２０と、ＰＶユニット１３０と、蓄電池ユニット１４０と、燃料電池ユニット１５０と、貯湯ユニット１６０とを有する。需要家施設１０は、これらに加えて、ＥＭＳ２００と、スマートメータ３００とを有する。但し、スマートメータ３００及びＥＭＳ２００は、需要家施設１０の建物内に設けられる必要はないことに留意すべきである。
【００２３】
分電盤１１０は、電力系統４００に接続されている。分電盤１１０は、電力線を介して、負荷１２０、ＰＶユニット１３０、蓄電池ユニット１４０及び燃料電池ユニット１５０に接続されている。
【００２４】
負荷１２０は、電力線を介して供給される電力を消費する装置である。例えば、負荷１２０は、冷蔵庫、照明、エアコン、テレビなどの装置を含む。負荷１２０は、単数の装置であってもよく、複数の装置を含んでもよい。
【００２５】
ＰＶユニット１３０は、ＰＶ１３１と、ＰＣＳ１３２とを有する。ＰＶ１３１は、太陽光の受光に応じて発電を行う装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００２６】
ＰＶユニット１３０は、ＰＶ１３１に照射される日射量を測定する日射計を有していてもよい。
【００２７】
ＰＶユニット１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶユニット１３０は、ＰＶ１３１の動作点（動作点電圧値及び電力値によって定まる点、又は、動作点電圧値と電流値とによって定まる点）を最適化する。
【００２８】
蓄電池ユニット１４０は、蓄電池１４１と、ＰＣＳ１４２とを有する。蓄電池１４１は、電力を蓄積する装置である。ＰＣＳ１４２は、蓄電池１４１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２９】
燃料電池ユニット１５０は、燃料電池１５１と、ＰＣＳ１５２とを有する。燃料電池１５１は、燃料ガスを利用して電力を生成する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００３０】
燃料電池ユニット１５０は、負荷追従制御によって動作する。詳細には、燃料電池ユニット１５０は、燃料電池１５１から出力される電力が負荷１２０の消費電力に追従するように燃料電池１５１を制御する。
【００３１】
貯湯ユニット１６０は、電力を熱に変換して、熱を蓄積する。具体的には、貯湯ユニット１６０は、貯湯槽を有しており、燃料電池１５１の運転（発電）によって生じる排熱によって、貯湯槽から供給される水を温める。詳細には、貯湯ユニット１６０は、貯湯槽から供給される水を温めて、温められた湯を貯湯槽に還流する。
【００３２】
ＥＭＳ２００は、電力系統４００から需要家施設１０に供給される電力を示す電力情報を管理する管理装置の一例である。
【００３３】
具体的には、ＥＭＳ２００は、負荷１２０、ＰＶユニット１３０、蓄電池ユニット１４０、燃料電池ユニット１５０及び貯湯ユニット１６０に信号線を介して接続されており、負荷１２０、ＰＶユニット１３０、蓄電池ユニット１４０、燃料電池ユニット１５０及び貯湯ユニット１６０を制御する。ＥＭＳ２００は、負荷１２０の動作モードを制御することによって、負荷１２０の消費電力を制御してもよい。ＥＭＳ２００と機器とを接続する信号線は、無線であってもよく、有線であってもよい。
【００３４】
第１実施形態において、ＥＭＳ２００は、スマートメータ３００に信号線を介して接続されており、スマートメータ３００と通信を行う。ＥＭＳ２００とスマートメータ３００とを接続する信号線は、無線であってもよく、有線であってもよい。
【００３５】
スマートメータ３００は、電力系統４００から需要家施設１０に供給される電力を測定する。例えば、スマートメータ３００は、分電盤１１０よりも電力系統４００側において電力線に接続されており、電力線を流れる電力の量を測定する。ここで、スマートメータ３００は、電力系統４００から需要家施設１０に供給される電力に対する課金を行うための機器であることに留意すべきである。
【００３６】
第１実施形態において、スマートメータ３００は、電力系統４００から需要家施設１０に供給された電力を一定期間（例えば、３０分）毎に集計した値である積算値をＥＭＳ２００に送信する。スマートメータ３００は、積算値が集計された時刻を示す集計時刻を積算値とともにＥＭＳ２００に送信する。集計時刻は、スマートメータ３００でカウントされる時刻を基準として特定される時刻であることに留意すべきである。
【００３７】
（スマートメータ）
以下において、第１実施形態に係るスマートメータについて説明する。図２は、第１実施形態に係るスマートメータ３００を示す図である。
【００３８】
図２に示すように、スマートメータ３００は、通信部３１０と、計測部３２０と、時刻カウンタ３３０と、制御部３４０とを有する。
【００３９】
通信部３１０は、通信モジュールによって構成されており、ＥＭＳ２００と通信を行う。具体的には、通信部３１０は、上述した積算値とともに集計時刻をＥＭＳ２００に送信する。
【００４０】
第１実施形態において、通信部３１０は、後述するように、一定期間の経過によって積算値が更新された旨を示す状態遷移通知をＥＭＳ２００に送信する。通信部３１０は、積算値の送信要求をＥＭＳ２００から受信する。通信部３１０は、積算値の送信要求に応じて、積算値とともに集計時刻をＥＭＳ２００に送信する。
【００４１】
計測部３２０は、電力系統４００から需要家施設１０に供給される電力を測定する。
【００４２】
時刻カウンタ３３０は、クロック発信器等によって構成されており、カウントアップ又はカウントダウンによって時刻をカウントする。上述した集計時刻は、スマートメータ３００（時刻カウンタ３３０）でカウントされる時刻を基準として特定される時刻であることに留意すべきである。
【００４３】
制御部３４０は、ＣＰＵ及びメモリによって構成されており、スマートメータ３００を制御する。具体的には、制御部３４０は、計測部３２０によって計測された電力を一定期間（例えば、３０分）毎に集計する。制御部３４０は、積算値及び集計時刻の送信を通信部３１０に指示する。
【００４４】
第１実施形態において、制御部３４０は、一定期間（例えば、３０分）が経過すると、一定期間の経過によって積算値が更新された旨を示す状態遷移通知の送信を通信部３１０に指示する。通信部３１０は、制御部３４０の指示に応じて、状態遷移通知をＥＭＳ２００に送信する。
【００４５】
続いて、制御部３４０は、積算値の送信要求に応じて、積算値及び集計時刻の送信を通信部３１０に指示する。通信部３１０は、積算値とともに集計時刻をＥＭＳ２００に送信する。
【００４６】
（管理装置）
以下において、第１実施形態に係る管理装置について説明する。図３は、第１実施形態に係るＥＭＳ２００を示す図である。
【００４７】
図３に示すように、ＥＭＳ２００は、通信部２１０と、提供部２２０と、時刻カウンタ２３０と、制御部２４０とを有する。
【００４８】
通信部２１０は、通信モジュールによって構成されており、信号線を介して接続された機器と通信を行う。同様に、通信部２１０は、信号線を介して接続されたスマートメータ３００と通信を行う。具体的には、通信部２１０は、上述した積算値とともに集計時刻をスマートメータ３００から受信する。
【００４９】
第１実施形態において、通信部２１０は、状態遷移通知をスマートメータ３００から受信する。通信部２１０は、状態遷移通知に応じて、積算値の送信要求をスマートメータ３００に送信する。
【００５０】
提供部２２０は、ディスプレイ又はスピーカなどのユーザインタフェースによって構成されており、各種情報をユーザに提供する。提供部２２０は、原則として、ＥＭＳ２００（時刻カウンタ２３０）でカウントされる時刻を基準として特定される時刻に従って各種情報をユーザに提供することに留意すべきである。各種情報は、例えば、現在時刻を示す時刻情報、所定期間（例えば、６時間、１日、１週間、１ヶ月等）において電力系統４００から需要家施設１０に供給される電力を示す電力情報である。電力情報は、スマートメータ３００から受信する積算値の集計によって得られる。
【００５１】
第１実施形態において、提供部２２０は、制御部２４０によって管理される積算値に関する情報をディスプレイに出力する出力部を構成することに留意すべきである。積算値に関する情報は、例えば、制御部２４０によって管理される積算値及び積算値を管理する時刻を含むことが好ましい。
【００５２】
時刻カウンタ２３０は、クロック発信器等によって構成されており、カウントアップ又はカウントダウンによって時刻をカウントする。
【００５３】
制御部２４０は、ＣＰＵ及びメモリによって構成されており、ＥＭＳ２００を制御する。具体的には、制御部２４０は、スマートメータ３００から受信する積算値を管理する。制御部２４０によって管理される積算値は、提供部２２０によってユーザに提供される。
【００５４】
第１実施形態において、制御部２４０は、集計時刻と積算値を受信した時刻を示す受信時刻との差異が所定閾値（例えば、３分）以上である場合に、受信時刻に従って積算値を管理する。ここで、受信時刻は、ＥＭＳ２００（時刻カウンタ２３０）でカウントされる時刻を基準として特定される時刻であることに留意すべきである。一方で、制御部２４０は、受信時刻と集計時刻との差異が所定閾値（例えば、３分）未満である場合に、集計時刻に従って積算値を管理する。
【００５５】
詳細には、制御部２４０は、例えば、図４に示す情報を管理する。具体的には、図４に示すように、制御部２４０は、積算値と対応付けて管理時刻を管理する。管理時刻とは、ＥＭＳ２００において積算値と対応付けられた時刻であり、スマートメータ３００から受信する積算値の集計に用いる時刻である。
【００５６】
図４に示すように、Ａ期間においては、集計時刻と受信時刻との差異が所定閾値（例えば、３分）未満であるため、制御部２４０は、管理時刻として集計時刻を用いる。一方で、Ｂ期間においては、集計時刻と受信時刻との差異が所定閾値（例えば、３分）以上であるため、制御部２４０は、管理時刻として受信時刻を用いる。さらに、Ｃ期間においては、集計時刻と受信時刻との差異が所定閾値（例えば、３分）未満であるため、制御部２４０は、管理時刻として集計時刻を用いる。
【００５７】
第１に、ＥＭＳ２００（時刻カウンタ２３０）でカウントされる時刻を基準として特定される時刻が１３：５９分時点において提供部２２０から電力情報を提供するケースについて考える。このようなケースにおいては、ｎ＋１番目の積算値の管理時刻として集計時刻（すなわち、１４：００）を用いても、集計時刻と受信時刻との差異が小さいため、ユーザに対して違和感を与える可能性が低い。
【００５８】
第２に、ＥＭＳ２００（時刻カウンタ２３０）でカウントされる時刻を基準として特定される時刻が１６：２５分時点において提供部２２０から電力情報を提供するケースについて考える。このようなケースにおいては、ｎ＋６番目の積算値の管理時刻として集計時刻（すなわち、１６：３０）を用いると、集計時刻と受信時刻との差異が大きいため、ユーザに対して違和感を与える可能性が高い。特に、ｎ＋６番目の積算値の集計時刻（すなわち、１６：３０）は、ＥＭＳ２００（時刻カウンタ２３０）でカウントされる時刻を基準として特定される時刻（すなわち、１６：２５分）よりも未来の時刻であるため、ユーザに対して違和感を与える可能性が高いと考えられる。従って、上述したように、制御部２４０は、管理時刻として受信時刻を用いることによって、ユーザに与える違和感を軽減している。
【００５９】
但し、電力系統４００から需要家施設１０に供給される電力に対する課金は、スマートメータ３００（時刻カウンタ３３０）でカウントされる時刻を基準として行われる。このような観点から、本来であれば、スマートメータ３００（時刻カウンタ３３０）でカウントされる時刻を基準として特定される時刻（すなわち、集計時刻）に従って積算値を管理することが好ましい。従って、制御部２４０は、Ｂ期間においては、管理時刻及び積算値と対応付けて集計時刻を管理することが好ましい。
【００６０】
第３に、ＥＭＳ２００（時刻カウンタ２３０）でカウントされる時刻を基準として特定される時刻が１７：２９分時点において提供部２２０から電力情報を提供するケースについて考える。このようなケースにおいては、ｎ＋７〜ｎ＋８番目の積算値の管理時刻として集計時刻を用いることが好ましい。さらには、Ｂ期間における積算値（すなわち、ｎ＋２〜ｎ＋６番目の積算値）の管理時刻として集計時刻を用いることが好ましい。従って、制御部２４０は、過去に遡ってＢ期間における積算値（すなわち、ｎ＋２〜ｎ＋６番目の積算値）の管理時刻を受信時刻から集計時刻に書き換えることが好ましい。
【００６１】
ここで、図４においては、説明の便宜上、Ａ期間及びＣ期間においても、管理時刻及び積算値と受信時刻が対応付けられているが、制御部２４０は、Ａ期間及びＣ期間において受信時刻を管理する必要はないことに留意すべきである。但し、制御部２４０は、Ａ期間及びＣ期間において管理時刻及び積算値と対応付けて受信時刻を管理してもよい。
【００６２】
（管理方法）
以下において、第１実施形態に係る管理方法について説明する。図５及び図６は、第１実施形態に係る管理方法を示す図である。
【００６３】
図５に示すように、ステップＳ１０Ａにおいて、スマートメータ３００は、一定期間の経過によって積算値が更新された旨を示す状態遷移通知をＥＭＳ２００に送信する。
【００６４】
ステップＳ２０Ａにおいて、ＥＭＳ２００は、状態遷移通知に応じて、積算値の送信要求（図５では、ＧＥＴコマンド）をスマートメータ３００に送信する。
【００６５】
ステップＳ３０Ａにおいて、スマートメータ３００は、積算値の送信要求に応じて、積算値とともに集計時刻をＥＭＳ２００に送信する。
【００６６】
ステップＳ４０Ａにおいて、ＥＭＳ２００は、スマートメータ３００から受信する積算値を管理する。
【００６７】
ステップＳ１０Ｂ〜ステップＳ４０Ｂは、ステップＳ１０Ａ〜ステップ４０Ａと同様の処理である。すなわち、状態遷移通知の送信から積算値の管理までの処理は一定期間（例えば、３０分）毎に繰り返される。
【００６８】
ここで、ステップＳ４０Ａ（又は、ステップＳ４０Ｂ）の処理の詳細は、図６に示す通りである。
【００６９】
具体的には、図６に示すように、ステップＳ４１において、ＥＭＳ２００は、スマートメータ３００から積算値とともに受信する集計時刻を取得する。
【００７０】
ステップＳ４２において、ＥＭＳ２００は、時刻カウンタ２３０でカウントされる時刻を基準として特定される時刻に従って積算値の受信時刻を取得する。
【００７１】
ステップＳ４３において、ＥＭＳ２００は、集計時刻と受信時刻との差異が所定閾値以上であるか否かを判定する。ＥＭＳ２００は、判定結果がＹＥＳである場合に、ステップＳ４４の処理に移る。一方で、ＥＭＳ２００は、判定結果がＮＯである場合に、ステップＳ４５の処理に移る。
【００７２】
ステップＳ４４において、ＥＭＳ２００は、積算値の管理時刻として受信時刻を用いる（例えば、図４に示すＢ期間を参照）。ここで、ＥＭＳ２００は、管理時刻及び積算値と対応付けて集計時刻を管理することが好ましい。
【００７３】
ステップＳ４５において、ＥＭＳ２００は、積算値の管理時刻として受信時刻を用いる（例えば、図４に示すＡ期間及びＣ期間を参照）。
【００７４】
以上説明したように、第１実施形態では、ＥＭＳ２００（制御部２４０）は、集計時刻と受信時刻との差異が所定閾値以上である場合に、受信時刻（すなわち、ＥＭＳ２００でカウントされる時刻を基準として特定される時刻）に従って積算値を管理する。従って、スマートメータ３００でカウントされる時刻を基準として特定される時刻とＥＭＳ２００でカウントされる時刻を基準として特定される時刻との同期が取れていない環境下において、ユーザの違和感を軽減することができる。
【００７５】
一方で、ＥＭＳ２００（制御部２４０）は、集計時刻と受信時刻との差異が所定閾値未満である場合に、集計時刻（すなわち、スマートメータ３００でカウントされる時刻を基準として特定される時刻）に従って積算値を管理する。従って、電力系統４００から需要家施設１０に供給される電力に対する課金状況を示す情報として適切な情報をユーザに提供することができる。
【００７６】
［変更例１］
以下において、第１実施形態の変更例１について説明する。以下においては、第１実施形態に対する相違点について主として説明する。
【００７７】
具体的には、第１実施形態では、スマートメータ３００は、一定期間の経過によって積算値が更新された旨を示す状態遷移通知をＥＭＳ２００に送信する。一方で、変更例１では、スマートメータ３００は、このような機能を有していない。
【００７８】
従って、ＥＭＳ２００（通信部２１０）は、積算値の送信要求を一定期間（例えば、３０分）よりも短い間隔（例えば、１分）で周期的にスマートメータ３００に送信する。ＥＭＳ２００（制御部２４０）は、送信要求に応じて積算値とともに返信される集計時刻が更新された場合に、新たな集計時刻とともに受信する積算値を管理する。積算値の送信要求を送信する間隔（要求間隔）は、一定であってもよく、不定であってもよい。
【００７９】
具体的には、図７に示すように、ステップＳ１１０１において、ＥＭＳ２００は、積算値の送信要求（図７では、ＧＥＴコマンド）をスマートメータ３００に送信する。
【００８０】
ステップＳ１２０１において、スマートメータ３００は、積算値の送信要求に応じて、積算値とともに集計時刻をＥＭＳ２００に送信する。
【００８１】
ステップＳＳ１１０２〜ステップＳ１２０２、ステップＳＳ１１０ｎ〜ステップＳ１２０ｎ、ステップＳＳ１１０ｎ＋１〜ステップＳ１２０ｎ＋１は、ステップＳＳ１１０１〜ステップＳ１２０１と同様の処理である。すなわち、積算値の送信要求から積算値及び集計時刻の受信までの処理は要求間隔（例えば、１分）毎に繰り返される。
【００８２】
ここで、ステップＳ１３０において、ＥＭＳ２００は、ステップＳ１２０ｎ＋１でスマートメータ３００から返信される集計時刻が更新されているため、ステップＳ１２０ｎ＋１でスマートメータ３００から新たな集計時刻とともに受信する積算値を新たな積算値として管理する。すなわち、ＥＭＳ２００は、積算値とともに返信される集計時刻の更新によって、スマートメータ３００でカウントされる時刻を基準として一定期間（例えば、３０分）が経過した旨を検出する。
【００８３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８４】
実施形態では、積算値の集計時刻がＥＭＳ２００（時刻カウンタ２３０）でカウントされる時刻を基準として特定される時刻よりも未来の時刻であるケースにおいてユーザに与える違和感について主として説明した（図４に示すＢ期間を参照）。但し、実施形態は、これに限定されるものではない。積算値の集計時刻がＥＭＳ２００（時刻カウンタ２３０）でカウントされる時刻を基準として特定される時刻よりも過去の時刻であるケースにおいてもユーザに対して違和感を与える可能性があることに留意すべきである。
【００８５】
実施形態では特に触れていないが、ＥＭＳ２００とスマートメータ３００との間の通信は、ＥＣＨＯＮＥＴ  Ｌｉｔｅ方式に準拠することが好ましい。但し、ＥＭＳ２００とスマートメータ３００との間の通信は、他の通信プロトコルに準拠していてもよい。
【００８６】
実施形態では特に触れていないが、ＥＭＳ２００は、需要家施設１０に設けられるホームサーバであってもよい。或いは、ＥＭＳ２００は、スマートフォンに代表されるユーザ端末であってもよい。
【００８７】
実施形態では提供部２２０は、ディスプレイ又はスピーカなどのユーザインタフェースによって構成されるが、実施形態は、これに限定されるものではない。例えば、スマートフォンに代表されるユーザ端末とＥＭＳ２００とが別々の装置である場合において、提供部２２０は、制御部２４０によって管理される積算値に関する情報をユーザ端末のディスプレイに出力する出力部を構成してもよい。このようなケースにおいて、提供部２２０は、ユーザ端末に対して情報を送信する機能を有する通信モジュールによって構成される。
【００８８】
実施形態では、管理装置がＥＭＳ２００であるケースを例示した。しかしながら、実施形態は、これに限定されるものではない。管理装置は、ＢＥＭＳ（Ｂｕｉｌｄｉｎｇ  Ｅｎｅｒｇｙ  Ｍａｎａｇｅｍｅｎｔ  Ｓｙｓｔｅｍ）に設けられていてもよく、ＦＥＭＳ（Ｆａｃｔｏｒｙ  Ｅｎｅｒｇｙ  Ｍａｎａｇｅｍｅｎｔ  Ｓｙｓｔｅｍ）に設けられていてもよく、ＳＥＭＳ（Ｓｔｏｒｅ  Ｅｎｅｒｇｙ  Ｍａｎａｇｅｍｅｎｔ  Ｓｙｓｔｅｍ）に設けられていてもよい。
【符号の説明】
【００８９】
１０…需要家施設、１１０…分電盤、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５２…ＰＣＳ、１６０…貯湯ユニット、２００…ＥＭＳ、２１０…通信部、２２０…提供部、２３０…時刻カウンタ、２４０…制御部、３００…スマートメータ、３１０…通信部、３２０…計測部、３３０…時刻カウンタ、３４０…制御部、４００…電力系統
【図１】
2016082605.tif 000003
【図２】
2016082605.tif 000004
【図３】
2016082605.tif 000005
【図４】
2016082605.tif 000006
【図５】
2016082605.tif 000007
【図６】
2016082605.tif 000008
【図７】
2016082605.tif 000009